(57)【特許請求の範囲】
【請求項１】
一端に開放端部が、他端に封止端部が設けられる軸方向に延びるハウジングと、
一端が前記開放端部に連なり、前記軸方向に沿って前記ハウジングの内部に形成される通気路と、
前記ハウジングに形成され、前記通気路と前記ハウジングの外部とを連通する通気窓と、
前記通気窓を覆うフィルタ本体と、
を備えることを特徴とするコネクタ用フィルタ部材。
【請求項２】
請求項１に記載のコネクタ用フィルタ部材を備えるコネクタ組立体であって、
前記コネクタ組立体は、第１コネクタ体と第２コネクタ体が嵌合されることで一体化されるものであり、
前記コネクタ用フィルタ部材は、前記第１コネクタ体と前記第２コネクタ体のいずれか一方に設けられることを特徴とするコネクタ組立体。
【請求項３】
前記第１コネクタ体及び前記第２コネクタ体のいずれか一方にこじり防止用突起が、また、前記第１コネクタ体及び前記第２コネクタ体の他方に前記こじり防止用突起に対応するこじり防止用突起収容溝が、形成され、
前記フィルタ部材は、前記こじり防止用突起及び前記こじり防止用突起収容溝の延長線上に配置される、
請求項２に記載のコネクタ組立体。
【請求項４】
請求項１に記載のコネクタ用フィルタ部材を備えるコネクタ組立体の組立方法であって、
前記コネクタ組立体は、第１コネクタ体と第２コネクタ体が嵌合されることで一体化されるものであり、
前記コネクタ用フィルタ部材は、前記第１コネクタ体と前記第２コネクタ体が嵌合される前または後に前記第１コネクタ体又は前記第２コネクタ体に装着される、
ことを特徴とするコネクタ組立体の組立方法。
【発明の詳細な説明】
【技術分野】
【０００１】
本発明は、例えば電子制御ユニットが収容される筐体の内部の圧力と外部（大気）の圧力との平衡を、電気コネクタ（以下、単にコネクタという）を通じて保つのに用いられるコネクタ用フィルタ部材に関する。
【背景技術】
【０００２】
従来から、例えば自動車の電子制御ユニットのように水分から保護する必要のある機器、部品は、防水構造をなした筐体内に収容されて用いられている。自動車は、よく知られているように、大きな温度変化が生じる使用環境下に置かれる。したがって、この温度変化に応じて筐体の内部の圧力（内圧）が変化し、外部の圧力（外圧）との間に圧力差が生じる。ここで、この筐体は内部への水分の侵入を防ぐために完全な密封構造にすると、温度変化に伴う圧力差を繰り返し受けるうちに、筐体に亀裂やシール部に隙間が生じて、防水性が損なわれるおそれがある。そのために、筐体内部と外部との間の大気の流通（通気）を許容するが、外部からの水分の浸入を阻止することのできるフィルタを筐体の一部に設けることが行われている（特許文献１、特許文献２）。
この目的のフィルタを設ける場合に、考慮すべき事項がある。その代表的なものとして、フィルタの保護が掲げられる。すなわち、フィルタ自体は布、樹脂などの脆弱な材料で構成されているため、筐体の表面に露出して設けたのでは、鋭利な部材等が触れるとフィルタを傷つけて水分が透過できる孔が開いてしまい外部からの水の浸入阻止という機能が害されることがある。そこで、フィルタを外部に露出させないために、フィルタを覆う保護カバーを筐体に設けることが提案されている（特許文献２の図２、図３）。
【先行技術文献】
【特許文献】
【０００３】
【特許文献１】特開２０００−１３８４６９号公報
【特許文献２】特開２００７−１８９２１５号公報
【発明の概要】
【発明が解決しようとする課題】
【０００４】
フィルタは、内圧と外圧の平衡を保つ通気量を確保するのに必要な面積を有している。これまで提案されたフィルタは、筐体の表面に平行に配置されているために、フィルタが専有する平面方向のスペースは小さくない。これに加えて、保護カバーを設けるにはさらにスペースが必要となるが、そのような余分なスペースを確保できない場合もある。
本発明は、以上の背景に基づいてなされたもので、専有するスペースが小さいにも拘らず、十分な通気量を確保できるとともに鋭利な部材が触れることで傷つけられるおそれのない、コネクタ用フィルタ部材を提供することを目的とする。
本発明は、そのようなフィルタ部材が取り付けられたコネクタ組立体を提供する。
また本発明は、そのようなフィルタ部材を用いてコネクタ組立体を組み立てる方法を提供する。
【課題を解決するための手段】
【０００５】
筐体内に収容されている電子制御ユニットと外部との電気的な接続を担うために、筐体にはコネクタが接続される。このコネクタも防水構造をなしているが、本発明者は電子制御ユニットを収納する筐体自体にではなく、コネクタにフィルタ部材を設けることを着想した。当該筐体にはもともとコネクタが接続されるスペースが確保されており、コネクタにフィルタ部材を設けることにすれば、当該筐体にはフィルタを設けるスペースが必要なくなるからである。
上記目的を達成するために、本発明のコネクタ用フィルタ部材は、一端に開放端部が、他端に封止端部が設けられる軸方向に延びるハウジングを備える。
ハウジングには、ハウジングの軸方向に沿って通気路が形成される。この通気路は、一端がハウジングの開放端部に連なる。
ハウジングには、通気窓が形成される。この通気窓は、通気路とハウジングの外部とを連通するように形成される。
本発明のフィルタ部材は、通気窓を覆うフィルタ本体を備えている。
【０００６】
本発明は、コネクタ用フィルタ部材を、軸方向に挿入し、コネクタに取付けることを想定している。より具体的には、フィルタ本体により覆われる通気窓の部分をコネクタの内部に配置する一方、ハウジングの開放端部はコネクタの外部に露出される。そうすることで、本発明のコネクタ用フィルタ部材が取り付けられたコネクタ組立体は、通気路及び通気窓（フィルタ本体）を介して、コネクタ組立体の内部と外部との通気を確保する。
この場合、ハウジングが仮に角筒状だとすると、軸方向に直交する方向の寸法を小さく設定したとしても、ハウジングの外表面には相当の面積を確保することができるので、フィルタ本体（通気窓）もそれに応じた面積にすることができる。したがって、本発明のコネクタ用フィルタ部材は、コネクタの幅方向（あるいは厚さ方向）の専有スペースが小さいにも拘らず、十分な通気量を確保することができる。
また、コネクタ用フィルタ部材は、フィルタ本体が設けられた部分はコネクタ組立体の内部に配置される。そして、フィルタ本体は通気路と平行な方向に沿って設けられる。したがって、ハウジングの開放端部から通気路に鋭利な部材が挿入されたとしても、フィルタ本体を傷つけるおそれがない。
【０００８】
本発明は、以上のコネクタ用フィルタ部材を備えるコネクタ組立体の組立方法を提供する。この組立体方法にかかるコネクタ組立体は、第１コネクタ体と第２コネクタ体が嵌合されることで一体化されるものであり、コネクタ用フィルタ部材は、第１コネクタ体と第２コネクタ体が嵌合される前または後に第１コネクタ体又は第２コネクタ体に装着される。
【発明の効果】
【０００９】
本発明によれば、専有するスペースが小さいにも拘らず、十分な通気量を確保できるとともに鋭利な部材が触れることで傷つけられるおそれのない、コネクタ用フィルタ部材が提供される。
【図面の簡単な説明】
【００１０】
【図１】本実施の形態におけるコネクタ組立体の分解正面図である。
【図２】図１の２−２矢視断面図である。
【図３】本実施の形態におけるメスコネクタを示す斜視図であり、（ａ）は前端（嵌合）面側を示し、（ｂ）は後端面側であって、フィルタ部材を取り外した状態を示し、（ｃ）は後端面側であって、フィルタ部材を取り付けた状態を示す。
【図４】メスコネクタとオスコネクタが嵌合されたコネクタ組立体における、図１の２−２矢視に相当する断面図である。
【図５】本実施の形態におけるフィルタ部材を示し、（ａ）は表面側を示す斜視図、（ｂ）は裏面側を示す斜視図、（ｃ）は縦断面図である。
【発明を実施するための形態】
【００１１】
以下、添付図面に示す実施の形態に基づいてこの発明を詳細に説明する。
本実施の形態にかかる防水型のコネクタ組立体１は、外部から水等の侵入を阻止するために、コネクタハウジング内にワイヤシール、あるいは一括ゴム栓と称される部材を備えている。このワイヤシールは、コネクタのハウジングにおける複数のキャビティの夫々に対応する位置にコンタクト挿入孔を設けている。コンタクトがこのコンタクト挿入孔を通ってキャビティに挿入されると、コンタクト挿入孔の内周縁にコンタクトに接続される電線が密着することで防水性が確保される。
【００１２】
コネクタ組立体１は、メスコネクタ１０とオスコネクタ７０とからなる。このコネクタ組立体１は、１つのオスコネクタ７０に３つのメスコネクタ１０が嵌合される例を示している。コネクタ組立体１において、メスコネクタ１０にワイヤシール３０が設けられるとともに、フィルタ部材５０が設けられている。オスコネクタ７０は、例えば電子制御ユニットの筐体に接続される。この筐体は防水構造を備えており、コネクタ組立体１を介した外部からの水分の筐体内部への浸入を防ぐために、メスコネクタ１０が防水機構としてのワイヤシール３０を備える。また、フィルタ部材５０を設けることにより、筐体の内圧と外圧の平衡を保つとともに、コネクタ組立体１を介する筐体内への水分の浸入を防ぐ。
なお、メスコネクタ１０及びオスコネクタ７０において、各々、嵌合される側を前と定義して以下説明する。
【００１３】
＜メスコネクタ１０＞
メスコネクタ１０（第1コネクタ）は、インナーハウジング２０と、ワイヤシール３０と、アウターハウジング４０とを備えている。
＜インナーハウジング２０＞
略直方体形状に形成されているインナーハウジング２０には、メス型コンタクト（図示を省略）を収容するための、複数のキャビティ２１が設けられている。インナーハウジング２０には、メス型コンタクトを一次的に係止するためのハウジングランス２２が設けられている。
インナーハウジング２０には、アウターハウジング４０と対向するインナーハウジング２０の後端周縁に後方に向けて延びる周囲壁２３が設けられており、この周囲壁２３の内部がワイヤシール３０を収容するシール収容凹部２４を構成する。
また、インナーハウジング２０には、フィルタ部材５０を収容するフィルタ収容孔２５が形成されている。フィルタ収容孔２５は、インナーハウジング２０の平面方向のほぼ中央に形成されている。フィルタ部材５０は、アウターハウジング４０のフィルタ挿入孔４２及びワイヤシール３０のフィルタ収容孔３４を貫通して、一部がフィルタ収容孔２５に収容される。フィルタ収容孔２５は、フィルタ部材５０が収容されたときに、フィルタ部材５０の周囲に許される限り大きな隙間ができるように、寸法が設定される。
このフィルタ収容孔２５は、後述するこじり防止突起収容溝２７及びこじり防止突起７８の後方に向けた延長線上に形成されている。こじり防止突起収容溝２７及びこじり防止突起７８が設けられる部分にはメス型コンタクト及びオス型のコンタクト７１が配置されないので、当該延長線上は空きスペースになっている。本実施形態は、この空きスペースにフィルタ部材５０を配置することで、フィルタ部材５０を設けるために格別のスペースを用意する必要がない。
【００１４】
インナーハウジング２０には、インナーハウジング２０とは独立して作製されたリテーナ６０が挿入されるリテーナ収容孔２６を備えている。リテーナ収容孔２６はインナーハウジング２０の幅方向の一方から他方にかけて貫通する。リテーナ６０がリテーナ収容孔２６の所定位置（図２、図４に示す位置）に配置されると、メス型コンタクトと干渉することで、メス型コンタクトはメスコネクタ１０から抜け止めされる。
【００１５】
インナーハウジング２０には、後述するこじり防止突起７８が挿入されるこじり防止突起収容溝２７が形成される。こじり防止突起収容溝２７は、インナーハウジング２０の平面方向の略中央部に形成されている。もちろん、こじり防止突起収容溝２７とこじり防止突起７８は互いに対応する位置に形成されている。このこじり防止突起収容溝２７にこじり防止突起７８が挿入されることで、メスコネクタ１０とオスコネクタ７０が嵌合される過程で、メスコネクタ１０とオスコネクタ７０の間にこじりが生じるのを防ぐ。こじり防止突起７８とこじり防止突起収容溝２７の間のクリアランスは、こじり防止が達成されるように設定される。
【００１６】
＜ワイヤシール３０＞
ワイヤシール３０は、一括型の防水部材であり、略板状に形成されてインナーハウジング２０のシール収容凹部２４内に収容されるようになっている。ワイヤシール３０は、通常、エラストマ（Elastic Polymer）により作製されるが、防水機能を発揮できる材料であれば制限はない。
ワイヤシール３０の外周形状、寸法は周囲壁２３の内周面と密着するように作製されるとともに、ワイヤシール３０の外周面には、インナーハウジング２０の周囲壁２３の内周面との密着性を向上するための複数の突条３２ａ、３２ｂ、３２ｃが設けられている。なお、図２、図４において、突条３２ａの存在を明らかにするために、突条３２ａを周囲壁２３と干渉させて記載している。後述する突条３３ａ、突条１３ａについても同様である。
【００１７】
ワイヤシール３０には、インナーハウジング２０のキャビティ２１に対応する位置に複数のコンタクト挿入孔３１が形成されている。キャビティ２１に収容された電力用コンタクトに接続された電線（図示省略）は、コンタクト挿入孔３１を通ってアウターハウジング４０側に導出される。
図２、４に示すように、各コンタクト挿入孔３１の内周には複数の突条３３ａ、３３ｂが設けられ、これら突条３３ａが電線の外周面に密着する。このため、各コンタクト挿入孔３１からインナーハウジング２０の内部、さらにはオスコネクタ７０の内部への浸水を阻止することができる。
【００１８】
またワイヤシール３０には、インナーハウジング２０のフィルタ収容孔２５に対応する位置にフィルタ収容孔３４が形成されている。フィルタ部材５０は、アウターハウジング４０のフィルタ挿入孔４２を貫通してフィルタ収容孔３４に挿入される。
図２、３に示すように、フィルタ収容孔３４の内周には複数の突条３４ａが設けられ、これら突条３４ａがフィルタ部材５０の外周面に密着する。このため、フィルタ収容孔３４からインナーハウジング２０の内部、さらにはオスコネクタ７０の内部への浸水を阻止することができる。
【００１９】
＜アウターハウジング４０＞
アウターハウジング４０は、インナーハウジング２０を覆うように装着されてワイヤシール３０の抜け止めを行う。
アウターハウジング４０には、インナーハウジング２０のキャビティ２１に対応する位置に複数の電線挿入孔４１が設けられている。電線挿入孔４１は、アウターハウジング４０を前後方向に貫通する。メス型コンタクトに接続される電線（図示省略）は電線挿入孔４１を通って後方に導出される。
アウターハウジング４０には、インナーハウジング２０のフィルタ収容孔２５及びフィルタ収容孔３４に対応する位置に、フィルタ挿入孔４２が形成されている。フィルタ挿入孔４２は、アウターハウジング４０を前後方向に貫通する。フィルタ部材５０は後方からフィルタ挿入孔４２に挿入される。
【００２０】
アウターハウジング４０には、アウターハウジング４０とインナーハウジング２０の嵌合を容易にするためのコの字状のレバー４４が取り付けられている。レバー４４はアウターハウジング４０と一体的に形成される突起４３を回転軸として揺動可能にアウターハウジング４０に取り付けられている。このレバー４４にはアウターハウジング４０と対向する面にカム溝４５が形成されている。オスコネクタ７０にはカム溝４５に対応するカム突起７９が形成されている。メスコネクタ１０とオスコネクタ７０を嵌合する際には、よく知られているように、カム溝４５内にカム突起７９が挿入されるようにメスコネクタ１０とオスコネクタ７０を位置合わせしてから、レバー４４を初期位置（図２、図３（ｂ））から嵌合位置（図４、図３（ｃ））まで傾転させる。
【００２１】
＜フィルタ部材５０＞
フィルタ部材５０は、一端に開放端部５２が、他端に封止端部５３が設けられるハウジング５１を備える。ハウジング５１は、その軸方向（図５のｚ方向）に延びる扁平な形状をなしている。ここで、フィルタ部材５０において、軸方向の他に、図５のｘ方向を幅方向、ｙ方向を厚さ方向と定義する。ハウジング５１は、幅方向に沿う一対の幅方向壁５１ａ、５１ｂと、厚さ方向に沿う一対の厚さ方向壁５１ｃ、５１ｄを備えている。幅方向壁５１ａ、５１ｂは、厚さ方向壁５１ｃ、５１ｄよりも幅が広く、面積が大きい。ハウジング５１の開放端部５２にはフランジ５４が形成されている。このフランジ５４はフィルタ部材５０をメスコネクタ１０に装着する際に、アウターハウジング４０に係止されることでフィルタ部材５０の挿入深さを規制する。
【００２２】
ハウジング５１には、ハウジング５１の軸方向に沿って通気路５５が形成される。この通気路５５は、一端がハウジング５１の開放端部５２に連なり、他端がハウジング５１の封止端部５３で止まる。
ハウジング５１の幅方向壁５１ａに外周が円形の通気窓５６が形成される。この通気窓５６は、通気路５５とハウジング５１の外部とを連通する。この例では、通気窓５６は通気路５５に対して直交して形成されている。通気窓５６は、封止端部５３の近くに形成されている。通気窓５６の周囲には、幅方向壁５１ａの外表面から通気路５５の向きに後退するフィルタ収容凹部５７が形成されている。
【００２３】
フィルタ収容凹部５７にはフィルタ本体５８が設けられている。円形のフィルタ本体５８は、通気窓５６よりも外周側がフィルタ収容凹部５７に接着、溶着、その他の手段により固定される。そうすることで、フィルタ本体５８は通気窓５６を覆うが、フィルタ本体５８は通気路５５に沿って配置されることになる。
フィルタ部材５０がメスコネクタ１０に装着された状態で、フィルタ部材５０はワイヤシール３０を貫通し、通気窓５６（フィルタ本体５８）は、ワイヤシール３０よりも前方側に配置される。これにより、ワイヤシール３０を貫通して通気が行なえる。
フィルタ本体５８は、表面から裏面に向けての通気及び裏面から表面に向けての通気が可能であることが必要である。ただし、フィルタ本体５８は、水分を透過させない。このような特性を満足するものとして、防水透湿性素材として知られるゴアテックス（登録商標）を、本発明は使用することができる。本発明では、ゴアテックス（登録商標）と他の素材を組み合わせて使用することができるし、他の防水透湿性素材を用いることもできる。
【００２４】
＜リテーナ６０＞
リテーナ６０は、前述したように、インナーハウジング２０に装着されることにより、メス型コンタクトを抜け止めする。そのためにリテーナ６０はメス型コンタクトが挿入されるコンタクト挿入孔６１と、コンタクト挿入孔６１内に突出するコンタクト係止突起６２と、を備える。コンタクト挿入孔６１を貫通するメス型コンタクトが前方側でコンタクト係止突起６２と係止されることで、メス型コンタクトは抜け止めされる。
【００２５】
＜オスコネクタ７０＞
オスコネクタ７０（第２コネクタ）は、メスコネクタ１０と嵌合されることでコネクタ組立体１を構成する。そうすると、オスコネクタ７０に保持される複数のオス型のコンタクト７１は、メスコネクタ１０に保持されるメス型コンタクトと電気的に接続される。
オスコネクタ７０には、３つのメスコネクタ１０が嵌合される。そのために、オスコネクタ７０は３つの嵌合部７２を備えている。嵌合部７２は、平面視した形状が矩形の周囲壁７３と、周囲壁７３に取り囲まれる収容凹部７４と、を備えている。
また、嵌合部７２は、収容凹部７４の後方に底床７５を備えている。底床７５には複数のコンタクト保持孔７６が形成されている。コンタクト７１はこのコンタクト保持孔７６に圧入されることでオスコネクタ７０に保持される。コンタクト７１は、一方側が収容凹部７４に突出され、他方側が底床７５よりも後方側に突出される。コンタクト７１の底床７５よりも後方側に突出される部分にはタインプレート７７を配置することで、コンタクト７１を位置決めする。
底床７５には、収容凹部７４に突出する、こじり防止突起７８が一体的に形成されている。こじり防止突起７８は、収容凹部７４の平面方向の略中央部に形成されている。こじり防止突起７８はインナーハウジング２０（メスコネクタ１０）のこじり防止突起収容溝２７に挿入され、オスコネクタ７０とメスコネクタ１０の間にこじりが生じるのを防ぐ。
こじり防止突起７８には、前後方向に貫通する通気路７８ａが形成されている。オスコネクタ７０が例えば電子制御ユニットの筐体と接続されたとき、当該筐体の内部と通気路７８ａは連通される。
【００２６】
オスコネクタ７０とメスコネクタ１０が嵌合されると、周囲壁７３の先端から所定の位置までがメスコネクタ１０に設けられる受容溝１２に挿入される。受容溝１２には、インナーハウジング２０の周囲に取り付けられるシール体１３が配置されており、受容溝１２に挿入された周囲壁７３にシール体１３の突条１３ａが密着されることにより、メスコネクタ１０からオスコネクタ７０への浸水を防ぐ。
【００２７】
＜コネクタ組立体１＞
コネクタ組立体１を組み立てるには、フィルタ部材５０が装着されたメスコネクタ１０とオスコネクタ７０とをレバー４４を用いて嵌合させる。または、フィルタ部材５０が装着されていないメスコネクタ１０とオスコネクタ７０とをレバー４４を用いて嵌合させた後に、フィルタ部材５０をメスコネクタ１０に装着してもよい。
【００２８】
＜実施形態の効果＞
メスコネクタ１０とオスコネクタ７０が嵌合されたコネクタ組立体１は、例えば自動車の電子制御ユニットの筐体にオスコネクタ７０を介して接続される。コネクタ組立体１はシール体１３、ワイヤシール３０を含む防水機能を備えているので、コネクタ組立体１を介して当該筐体内への水の浸入を防ぐことができる。
【００２９】
コネクタ組立体１は、当該筐体の内圧と外圧の平衡を保つためにフィルタ部材５０を備えている。このフィルタ部材５０は、フィルタ本体５８により覆われる通気窓５６の部分をメスコネクタ１０の内部に配置する一方、ハウジング５１の開放端部５２は外部に露出される。そうすることで、コネクタ組立体１は、通気路５５及び通気窓５６（フィルタ本体５８）を介して、コネクタ組立体１（当該筐体）の内部と外部との通気を確保する。
一方で、コネクタ組立体１は、こじり防止突起７８に通気路７８ａが設けられ、また、インナーハウジング２０のフィルタ収容孔２５内においてフィルタ部材５０の周囲に隙間が設けられている。したがって、コネクタ組立体１が当該筐体に接続されていても、筐体の内部はコネクタ組立体１を介して外部（大気）と通気ができるので、内圧と外圧の平衡が保たれる。
【００３０】
フィルタ部材５０は、表面積の大きな幅方向壁５１ａにフィルタ本体５８（通気窓５６）を配置しているので、例えば封止端部５３にフィルタ本体５８（通気窓５６）を配置する場合に比べて、フィルタ本体５８（通気窓５６）の面積を相当程度大きくすることができる。したがって、フィルタ部材５０は、平面方向の専有スペースが小さいにも拘らず、十分な通気量を確保することができる。
また、フィルタ部材５０は、フィルタ本体５８が設けられた部分はメスコネクタ１０（コネクタ組立体１）の内部に配置される。しかも、フィルタ本体５８は通気路５５と平行な方向に沿って設けられる。したがって、ハウジング５１の開放端部５２から通気路５５に鋭利な部材が挿入されたとしても、フィルタ本体５８を傷つけるおそれがない。
【００３１】
また、フィルタ部材５０は、空きスペースになっていたこじり防止突起収容溝２７及びこじり防止突起７８の延長線上に設けられる。したがって、コネクタ組立体１は、空きスペースを有効に利用してフィルタ部材５０を配置することができる。
【００３２】
以上、本発明による好適な実施形態を説明したが、本発明はこの実施形態に限定されるものでなく、種々の変更を加えることができる。
例えば、フィルタ部材５０は、通気窓５６を幅方向壁５１ａにのみ設けたが、対向する幅方向壁５１ｂにも設けることで、通気量を確保することができる。また、フィルタ部材５０は直方体形状をなしているが、他の形状、例えば角錐形状、円筒形状、あるいは円錐形状にすることもできる。
【００３３】
コネクタ組立体１の構造はあくまで一例であり、他の防水型のコネクタ組立体に本発明を適用することができる。
これ以外にも、本発明の主旨を逸脱しない限り、上記実施の形態で挙げた構成を取捨選択したり、他の構成に適宜変更することが可能である。
【符号の説明】
【００３４】
１      コネクタ組立体
１０    メスコネクタ
２０    インナーハウジング
２５    フィルタ収容孔
２７    こじり防止突起収容溝
３０    ワイヤシール
３４    フィルタ収容孔
４０    アウターハウジング
４２    フィルタ挿入孔
５０    フィルタ部材
５１    ハウジング
５２    開放端部
５３    封止端部
５４    フランジ
５５    通気路
５６    通気窓
５７    フィルタ収容凹部
５８    フィルタ本体
７０    オスコネクタ
７８    こじり防止突起
７８ａ    通気路
【図１】
0005685453.tif 000002
【図２】
0005685453.tif 000003
【図３】
0005685453.tif 000004
【図４】
0005685453.tif 000005
【図５】
0005685453.tif 000006